(57)【特許請求の範囲】
【請求項１】
検査対象となる配線が形成される基板の導通及び／又は短絡検査を実施する基板検査装置であって、
前記基板を載置するための載置面を有する載置台を有し、
前記検査対象となる配線の検査を実施するための検査信号を発生させる電源手段と、
前記検査対象となる配線から検出される検出信号を基に、該配線の検査を実施する判定手段と、
前記戴置台の戴置面と前記基板と間に介在配置され、前記電源手段からの検査信号を前記配線に伝達するとともに前記配線からの検出信号を前記判定手段に伝達し、前記載置面の表面に配置される接続手段とを備え、
前記接続手段は、前記基板に応じて複数の電気配線を形成した板状部材から形成され、該複数の電気配線は、前記電源手段と前記配線の一端とを電気的に接続する第一接続部と、前記配線の他端と前記判定手段とを電気的に接続する第二接続部とを有し、
前記電源手段と前記判定手段は、前記載置台の内部に収容されていることを特徴とする基板検査装置。
【請求項２】
前記第一接続部は、
前記電源手段と接触接続する電源接続部と、
前記配線の一端と接触接続する一端接続部と、
前記電源接続部と前記一端接続部を接続する第一配線部とを有し、
前記第二接続部は、
前記配線の他端と非接触接続する他端接続部と、
前記判定手段と接触接続する判定接続部と、
前記他端接続部と前記判定接続部を接続する第二配線部とを有していることを特徴とする請求項１記載の基板検査装置。
【請求項３】
前記一端接続部は、前記接続手段の表面から突出する導電性の弾性体から形成されていることを特徴とする請求項２記載の基板検査装置。
【請求項４】
前記基板を前記接続手段に吸着固定するための吸引手段を有し、
前記接続手段は、前記吸引手段の通気路となる厚み方向の貫通孔が複数形成される板状部材により形成されていることを特徴とする請求項１乃至３いずれかに記載の基板検査装置。
【請求項５】
前記載置台は、上面に前記接続手段が載置されていることを特徴とする請求項１記載の基板検査装置。
【請求項６】
前記配線の一端と前記一端接続部を圧接させる押圧手段を有することを特徴とする請求項２記載の基板検査装置。
【請求項７】
前記電源接続部が、前記電源手段又は前記判定手段と切替接続されることを特徴とする請求項２記載の基板検査装置。
【発明の詳細な説明】
【技術分野】
【０００１】
本発明は、基板検査装置に関し、より詳しくは、より簡単な構成で使い勝手の良い基板検査装置に関する。
尚、本発明は、プリント配線基板に限らず、例えば、フレキシブル基板、多層配線基板、液晶ディスプレイやプラズマディスプレイ用の電極板、及び半導体パッケージ用のパッケージ基板やフィルムキャリアなど種々の基板や半導体ウェハなどに形成される電気的配線の検査に適用でき、本明細書では、それら種々の検査基板を総称して「基板」という。
【背景技術】
【０００２】
従来、基板の検査を実施する基板検査装置は、多量に製造される基板を、短時間で且つ高効率に検査処理しなければならず、特許文献１に開示されるような大掛かりな基板検査装置が提案されている。
このような大掛かりな基板検査装置では、検査対象の基板を連続的に検査処理することにより、多量の基板を検査処理している。
【０００３】
このような大掛かりな基板検査装置は、少量の基板しか検査しない場合や試作基板を検査する場合には、反って効率が悪く、また、費用が極めて高価であることから、大規模工場で導入することはあっても、小規模工場では導入を見送られることが通常であった。
【先行技術文献】
【特許文献】
【０００４】
【特許文献１】特開2005-227056号公報
【発明の概要】
【発明が解決しようとする課題】
【０００５】
このような実情を踏まえ、検査対象の基板が多量でない場合若しくは高価な装置が導入できない場合、つまり、検査対象の基板が少量である場合や、試作の基板を検査する場合や、新興国にて多数の作業員が検査作業に従事することができる場合に、効率良く検査を実施することができ、且つ、簡便な構成でコスト低減を図れる基板検査装置の提案が望まれている。
本発明は、このような実情に鑑みてなされたもので、簡便な構成を有するとともに効率良く検査を実施することができる基板検査装置を提供する。
【課題を解決するための手段】
【０００６】
請求項１記載の発明は、検査対象となる配線が形成される基板の導通及び／又は短絡検査を実施する基板検査装置であって、前記基板を載置するための載置面を有する載置台を有し、前記検査対象となる配線の検査を実施するための検査信号を発生させる電源手段と、前記検査対象となる配線から検出される検出信号を基に、該配線の検査を実施する判定手段と、前記戴置台の戴置面と前記基板と間に介在配置され、前記電源手段からの検査信号を前記配線に伝達するとともに前記配線からの検出信号を前記判定手段に伝達し、前記載置面の表面に配置される接続手段とを備え、前記接続手段は、前記基板に応じて複数の電気配線を形成した板状部材から形成され、該複数の電気配線は、前記電源手段と前記配線の一端とを電気的に接続する第一接続部と、前記配線の他端と前記判定手段とを電気的に接続する第二接続部とを有し、前記電源手段と前記判定手段は、前記載置台の内部に収容されていることを特徴とする基板検査装置を提供する。
請求項２記載の発明は、前記第一接続部は、前記電源手段と接触接続する電源接続部と、前記配線の一端と接触接続する一端接続部と、前記電源接続部と前記一端接続部を接続する第一配線部とを有し、前記第二接続部は、前記配線の他端と非接触接続する他端接続部と、前記判定手段と接触接続する判定接続部と、前記他端接続部と前記判定接続部を接続する第二配線部とを有していることを特徴とする請求項１記載の基板検査装置を提供する。
請求項３記載の発明は、前記一端接続部は、前記接続手段の表面から突出する導電性の弾性体から形成されていることを特徴とする請求項２記載の基板検査装置を提供する。
請求項４記載の発明は、前記基板を前記接続手段に吸着固定するための吸引手段を有し、前記接続手段は、前記吸引手段の通気路となる厚み方向の貫通孔が複数形成される板状部材により形成されていることを特徴とする請求項１乃至３いずれかに記載の基板検査装置を提供する。
請求項５記載の発明は、前記載置台は、上面に前記接続手段が載置されていることを特徴とする請求項１記載の基板検査装置を提供する。
請求項６記載の発明は、前記配線の一端と前記一端接続部を圧接させる押圧手段を有することを特徴とする請求項２記載の基板検査装置を提供する。
請求項７記載の発明は、前記電源接続部が、前記電源手段又は前記判定手段と切替接続されることを特徴とする請求項２記載の基板検査装置を提供する。
【発明の効果】
【０００７】
請求項１記載の発明によれば、検査対象となる基板と基板検査装置とを接続する接続手段が、基板検査装置の載置面の表面に配置され、この接続手段が電源手段と配線の一端とを電気的に接続する第一接続部と配線の他端と判定手段とを電気的に接続する第二接続部を有するように形成されることにより、効率良く検査を実施することができ、且つ、簡便な構成でコスト低減を図れる基板検査装置を提供することができる。
請求項２記載の発明によれば、第一接続部が、電源手段と接触接続する電源接続部と配線の一端と接触接続する一端接続部と電源接触部と一端接続部を接続する第一配線部を有し、第二接続部が、配線の他端と非接触接続する他端接続部と判定手段と接触接続する判定接続部と、他端接続部と判定接続部を接続する第二配線部を有しているので、接続手段を簡単な構成で形成することができる。
請求項３記載の発明によれば、一端接続部が接続手段の表面から突出する導電性の弾性体から形成されているので、配線の一端とこの一端接続部が安定して導通接続させることになる。
請求項４記載の発明によれば、基板を接続手段に吸着固定するための吸引手段を有してなり、また、接続手段が、この吸引手段の通気路となる厚み方向の貫通孔が複数形成される板状部材により形成されているので、接続手段の上面に基板を載置することができ、基板検査装置を更に簡便な構成とすることができる。
請求項５記載の発明によれば、載置台が、上面に前記接続手段が載置されているので、基板検査装置を簡便な構成で形成することができる。
請求項６記載の発明によれば、配線の一端と一端接続部を圧接させる押圧手段を有するので、検査を実施する場合に、この押圧手段を用いて、配線の一端と一端接続部をより安定的に導通接続することができる。
請求項７記載の発明によれば、電源接続部が、電源手段又は判定手段と切替接続されることができるので、配線の短絡検査を実施することができるようになる。
【図面の簡単な説明】
【０００８】
【図１】本発明の基板検査装置の一実施形態を示す概略図であり、（ａ）は平面図を示し、（ｂ）は側面図を示している。
【図２】本発明の基板検査装置の概略構成図である。
【図３】本基板検査装置が検査対象とする基板の一実施形態を示す平面図である。
【図４】本発明の接続手段の一実施形態を示す概略図であり、（ａ）は平面図を示し、（ｂ）は底面図を示す。
【図５】本基板検査装置が検査を実施する場合を示す平面図である。尚、基板検査装置の載置台に基板が載置されている。
【発明を実施するための形態】
【０００９】
本発明を実施するための最良の形態を説明する。
本発明にかかる基板検査装置１は、載置台２、電源手段３、判定手段４、接続手段５、吸引手段６、押圧手段７、出力手段８、入力手段９を有してなる。
基板検査装置１は、検査対象となる配線が複数形成された基板の良／不良を検査することができ、この基板の良／不良とは、基板に形成される配線の導通検査や短絡検査結果である。
本基板検査装置１は、検査対象となる基板Ｗと電気的接続を行うための接続手段５を用いることにより、好適に検査を実施することができるようになる。
【００１０】
本基板検査装置１が検査対象とする基板は、特に、限定されるものではないが、基板の一方面側にのみ配線が形成され、配線の両端（一端と他端）部が同一面上に形成されている基板を好適に用いることができる。
図３で示される基板Ｗには、基板Ｗの奥手側の一辺に沿って形成される配線の一端Ｔ１と、基板Ｗの略中央に所定幅を有して形成される三角形状に形成される他端Ｔ２と、この一端Ｔ１と他端Ｔ２を接続するとともに基板Ｗの周縁に沿って形成される配線部Ｔ３を有する配線Ｔが複数形成されている。図３の基板Ｗでは、中央に形成される他端Ｔ２が交互に配置され、夫々の配線部Ｔ３が左右に分かれて形成されている。尚、複数の配線Ｔの一端Ｔ１は、基板Ｗの一辺の略中央に並んで形成されている。
このため、これらの配線Ｔの検査とは、夫々の一端Ｔ１が配線部Ｔ３を介して他端Ｔ２まで導通状態であるか、検査対象の配線Ｔが隣接する配線Ｔと短絡を起こしていないか（短絡不良がないか）どうかを検査することになる。
【００１１】
本基板検査装置１は、基板Ｗを載置するための載置面を有する載置台２を有している。この載置台２は、図１（ａ）や（ｂ）で示される如く、略直方体の筐体として形成されており、その直方体の上面２１が載置面として機能することになる。
この載置台２が有する載置面は、上記の如く、基板Ｗが配置されることになるので、検査対象となる基板Ｗよりも大きい面積を有するように形成されている。
【００１２】
この載置台２の内部には、基板検査装置１の動作に必要な機能や部品を収めており、これらを内部に収めることにより、基板検査装置のコンパクト化や小型化を図っている。尚、詳細は後述するが、この載置台２の正面２２には、一部斜面２３が形成されており、この斜面２３に基板検査装置１を操作する操作ボタンなどの操作部２４が形成されている。
図１（ａ）で示される載置台２には、基板検査を実施するためのスタートボタン２４ａと、後述する吸引手段６の動作を制御するON/OFFスイッチ２４ｂと、検査をリセットするためのリセットボタン２４ｃが設けられている。
【００１３】
電源手段３は、検査対象となる配線Ｔの導通及び／又は短絡の検査を実施するための検査信号を発生する。この電源手段３により発生する検査信号は、配線Ｔの検査を実施することができれば特に限定されるものではなく、直流電源や交流電源などを利用することができる。また、詳細は後述するが、非接触式の検査を実施する場合には、電源手段３として、交流電圧源や矩形波の電圧を供給する電圧源を用いることが好ましい。
尚、この電源手段３の出力は、検査対象の配線Ｔの抵抗値などに応じて適宜使用者により調整される。
【００１４】
判定手段４は、検査対象となる配線Ｔから検出される検出信号を基に、この配線Ｔの検査を実施する。この判定手段４が受信する検出信号は、後述する接続手段５が配線Ｔから検出される電気信号である。この判定手段４が実施する判定は、予め良品と判定することのできる閾値を設定し、受信する検出信号とこの閾値とを比較する。この場合、判定手段４は、検出信号値がこの閾値の間に存在すれば「良」と判定し、検出信号値がこの閾値の間に存在しなければ「不良」と判定するようになる。
【００１５】
この判定手段４は、配線から検出される検出信号を測定するための電圧計や電流計を備えている。これらの電圧計や電流計を用いることにより、検出信号の電圧値や電流値を適宜測定することができる。判定手段４は、これらの検出値を用いて、上記の如き判定を実施することになる。
【００１６】
図４は、接続手段の一実施形態を示す概略図であり、（ａ）は表面を示し、（ｂ）は裏面を示している。この接続手段５は、電源手段３からの検査信号を、検査対象となる配線Ｔに伝達する。また、この接続手段５は、検査対象の配線Ｔから検出信号を検出し、この検出信号を判定手段４に伝達する。この接続手段５により、基板検査装置１からの検査信号を配線Ｔに供給し、配線Ｔから検出信号を基板検査装置１へ伝達することになる。
【００１７】
接続手段５は、複数の配線を表裏面に形成することのできる基板などの板状部材で形成されることが好ましい。詳細は後述するが、このような基板にて形成されることにより、電源手段３と所定の配線Ｔの一端Ｔ１や、配線Ｔの他端Ｔ２と判定手段４を接続するための電気配線を、検査対象の基板に応じて廉価に且つ簡便に製作することができるからである。
【００１８】
この接続手段５は、載置台２の載置面（上面２１）の表面に配置される。この接続手段５は、載置台２の上面２１に配置され、その上に検査対象の基板Ｗが配置されることになる。このため、上面２１、接続手段５と基板Ｗがこの順番で積層されて配置されることになる。
【００１９】
接続手段５は、電源手段３と配線Ｔの一端Ｔ１とを電気的に接続する第一接続部５１と、配線Ｔの他端Ｔ２と判定手段４とを電気的に接続する第二接続部５２を有している。
この第一接続部５１は、電源手段３から供給される検査信号を配線Ｔの一端Ｔ１に伝達する。
【００２０】
第一接続部５１は、電源手段３と接触接続する電源接続部５１１と、配線Ｔの一端Ｔ１と接触接続する一端接続部５１２と、電源接触部５１１と一端接続部５１２を接続する第一配線部５１３を有している。
電源接続部５１１は、図４（ｂ）で示される裏面の左端に複数形成されている。この電源接続部５１１は、電源手段３から配線されて載置台２の上面２１から突出する端子（図示せず）と導通接触するように形成されている。このため、電源接続部５１１は、例えば、円形状の導電性のパッドとして形成することができる。図４（ｂ）では、接続手段５の裏面に電源接続部５１１が複数形成されているが、検査対象となる基板Ｗの配線Ｔの数に応じて、利用されることになる。
尚、この電源手段３からの端子は、針状又は棒状の接触子を用いることができ、この端子が電源接続部５１１と圧接され、電気的に接続されることになる。
【００２１】
一端接続部５１２は、図４（ａ）で示される表面の接続手段５の一辺の中央周縁（図４（ａ）で示される上方部）に複数形成されている。この一端接続部５１２は、配線Ｔの一端Ｔ１と導通接触することにより、この一端Ｔ１へ電源手段３からの検査信号を伝達することになる。図４（ａ）の実施形態では、7つの一端接続部５１２が並設されているが、一端接続部５１２が設けられる個数や場所は、検査対象となる配線Ｔの数に応じて適宜変更される。
この一端接続部５１２は、接続手段５の表面から突出して形成されることが好ましい。これは、検査対象の基板Ｗがこの接続手段５に載置された場合に、配線Ｔの一端Ｔ１と一端接続部５１２が確実に接触することができるからである。更に、この一端接続部５１２は、導電性ゴムなどの導電性の弾性体で形成されることが好ましい。
【００２２】
第一配線部５１３は、電源接続部５１１と一端接続部５１２を電気的に接続する導電性の配線である。この第一配線部５１３は、図４の実施形態では、裏面にある電源接続部５１１から延設されて、一端接続部５１２の配置される裏側まで配線されており、一端接続部５１２が配置される接続手段５の裏側から表面へ貫通するように配線され、一端接続部５１２と接続するように設けられている。
この第一配線部５１３は、通常基板Ｗに形成される電気回路用に形成される導電性の配線が採用される。
【００２３】
第一接続部５１の電源接続部５１１は、上記の如く、電源手段３に接続されているが、判定手段４にも接続される。これは、第一接続部５１の電気的接続を、電源手段３と判定手段４とで切り替えることができるように基板検査装置１には、切替手段（図示せず）が設けられている。
この切替手段が、第一接続部５１の接続を電源手段３と判定手段４とで切り替えることができように設定されることにより、検査対象の配線Ｔの導通／短絡のいずれかの検査を実施するかできるように設定されることになる。
【００２４】
電源接続部５１１が電源手段３に接続される場合には、検査対象の配線Ｔの導通検査が実施され、電源接続部５１１が判定手段４に接続される場合には、検査対象の配線Ｔの短絡検査が実施されることになる。
【００２５】
第二接続部５２は、配線Ｔの他端Ｔ２と非接触接続する他端接続部５２１と、判定手段４と接触接続する判定接続部５２２と、他端接続部５２１と判定接続部５２２を接続する第二配線部５２３を有している。
【００２６】
他端接続部５２１は、配線Ｔの他端Ｔ２と非接触接続するための電極板で形成されており、他端Ｔ２とこの電極板により静電容量結合することにより、配線Ｔからの検出される検出信号を受信することになる。図４（ａ）で示される実施形態では、検査対象の配線Ｔの端部にこの他端接続部５２１が非接触接続できるように、基板Ｗの両端（基板の対向する辺）に沿って対向するように一対の電極板（図４（ａ）で示される符号５２１ａと５２１ｂ参照）が配置されている。
他端接続部５２の製造方法は、配線Ｔの他端Ｔ２と非接触接続することができれば特に限定されないが、例えば、導電性の電極板を基板表面に貼り付けて、その上から絶縁膜を被覆することにより形成することができる。
尚、導通検査の対象となる配線Ｔは、一端接続部５１２、配線Ｔの一端Ｔ１、配線Ｔの他端Ｔ２と他端接続部５２１を経由する閉回路を形成するように設定されることになる。
【００２７】
判定接続部５２２は、判定手段４から配線されて載置台２の上面２１から突出する端子（図示せず）と導通接触するように形成されている。このため、判定接続部５２２は、例えば、円形状の導電性のパッドとして形成することができる。図４（ｂ）では、接続手段５の裏面に他端接続部５２１に対応する判定接続部５２２が二つ形成されているが、他端接続部５２１の数に応じて形成されることになる。
尚、この判定手段４からの端子は、針状又は棒状の接触子を用いることができ、この端子が判定接続部５２２と圧接され、電気的に接続されることになる。
【００２８】
第二配線部５２３は、他端接続部５２１と判定接続部５２２を電気的に接続する導電性の配線である。この第二配線部５２３は、図４の実施形態では、裏面にある判定接続部５２２から延設されて、他端接続部５２１の片側端部が配置される裏側まで配線されており、他端接続部５２１が配置される接続手段５の裏側から表面へ貫通するように配線され、他端接続部５２１と接続するように設けられている。
この第二配線部５２３は、通常基板に形成される電気回路用に形成される導電性の配線が採用される。
【００２９】
この接続手段５には、後述する吸引手段６の通気路となる貫通孔５３が複数形成される。
図４で示される実施形態では、この貫通孔５３が格子状に複数形成されており、接続手段５の表面に均一に吸引力が働くように設けられていることが好ましい。この貫通孔５３の大きさや数は、特に限定されないが、吸引手段６の能力に応じて使用者により適宜調整される。尚、接続手段５が板状部材で形成される場合には、この板状部材の厚み方向に貫通するように貫通孔５３が形成されることになる。
【００３０】
接続手段５は、載置台２の上面２１に載置される場合に、基準位置となる取付孔５４が形成されている。この取付孔５４は、接続手段５と載置台２を正確に配置するために、接続手段５の四隅に夫々形成されることが好ましい。このように形成されることにより、検査対象となる基板Ｗに応じて、接続手段５が変更されても、載置台２の上面２１から突設するガイドピン（図示せず）をこの取付孔５４に嵌合させることにより、その都度位置決めする工程を省くことができる。
【００３１】
接続手段５は、検査対象となる基板Ｗがこの表面に載置されることになるが、この基板Ｗを所定位置に載置するために、基準孔５５を設けることもできる。この基準孔５５は、載置台２の上面２１から上方に突出するように設けられた支柱（図示せず）をこの基準孔５５を貫通するように接続手段５を配置する。尚、図１（ａ）で示される場合では、支柱としてＬ字状の位置決め部材５６を利用して、Ｌ字の角部に基板Ｗを押し当てるようにして、位置決めを行っている。
【００３２】
吸引手段６は、基板Ｗを接続手段５に吸着固定するための吸引力を供給する。この吸引手段６は、上記の接続手段５の通気路５３を用いることにより、検査対象の基板Ｗを適宜に固着することができるようになる。尚、この吸引手段６は、載置台２の内部に収容されている。尚、図１（ａ）で示される如く、載置台２の一部斜面２３に、この吸引手段６の動作を制御するON/OFFスイッチ２４ｂを設けることもできる。
【００３３】
押圧手段７は、配線Ｔの一端Ｔ１と一端接続部５１２を圧接させる。載置台２に接続手段５が載置されて接続手段５に基板Ｗが載置された場合に、配線Ｔの一端Ｔ１と一端接続部５１２が対向して接続配置されることになるが、この一端Ｔ１と一端接続部５１２をより安定的に接触接続させるために、この押圧手段７が一端Ｔ１と一端接続部５１２を、載置台２の上面２１とで挟持するように押圧することになる。
このように押圧手段７を設けることにより、より安定的に接触接続させることができるようになる。
この押圧手段７は、載置台２の上面２１の上方に配置され、接続手段５に載置された基板Ｗを押圧することができるように、手動又は自動で、上昇／下降することができる。
【００３４】
出力手段８は、検査対象となる基板に関する情報や検査対象の基板の検査結果情報を出力する。この出力手段８は、例えば、表示手段８１や印刷手段８２や表示灯８３を利用することができる。
表示手段８１は、例えば、モニタやディスプレイを利用することができ、判定手段４の判定結果や検査中の状況を表示することができる。印刷手段８２は、例えば、プリンタなどの印刷機を利用することができ、判定手段４の判定結果や検査中の状況や、表示手段８１に映し出される画面情報を印刷する。図１（ａ）で示される一実施形態では、3つの表示灯８３が設けられており、合格の場合、導通不良の場合と短絡不良の場合に応じて、いずれかの表示灯８３が点灯するように形成されている。
尚、これらの出力手段８は、使用者により適宜に調整されて利用されることになる。
【００３５】
入力手段９は、基板Ｗに関する情報や検査手順に関する情報など検査に関する情報を、基板検査装置１に入力する。
この入力手段９は、例えば、キーボード９１やマウス９２などの入力機器を用いることができる。
【００３６】
この基板検査装置１には、図示しない記憶手段を設けることもできる。この記憶手段には、検査手順や判定閾値などの検査に関連する情報が格納され、上記の各手段を自動的に動作させて、検査を実施させるように設定することもできる。尚、この記憶手段に検査結果を記憶させることもできる。
以上が、本発明にかかる基板検査装置１の構成の説明である。
【００３７】
次に、本基板検査装置１の動作について説明する。
図５は、本基板検査装置１に検査対象となる基板Ｗが載置され、検査が実施される様子を示す概略平面図である。
本基板検査装置１を用いて基板Ｗの検査が実施される場合には、まず、検査対象となる基板Ｗに応じた接続手段５が形成される。このとき、この接続手段５は、基板Ｗの配線Ｔの形状に応じて形成される。図３に示される基板Ｗを検査する場合では、検査対象となる基板Ｗの配線Ｔが14本形成されていることになる。
【００３８】
このような基板Ｗを検査するために、接続手段５の第一接続部５１の電源接続部５１１は14つが形成され、これらの電源接続部５１１から夫々第一配線部５１３が形成され、夫々の一端接続部５１２に接続されている。
尚、この図４で示される一端接続部５１２は7つ形成されており、電源手段３からの検査信号が所定の端子から供給されることにより、検査対象の配線を選択することができるようになっている。一端接続部５１２は、検査対象の配線Ｔと同数形成することもできるが、複数の配線Ｔの一端Ｔ１を共通して導通接続されるように形成することもできる。
【００３９】
接続手段５は、検査対象の基板Ｗに応じて第二接続部５２が形成される。この第二接続部５２の他端接続部５２１は、配線Ｔの他端Ｔ２と非接触接続することができるように、二つの板状の電極部（第一電極部５２１ａと第二電極部５２１ｂ）が形成されている。この場合の他端接続部５２１は、複数の配線Ｔの他端Ｔ２と非接触接続することができるように、複数の配線Ｔの他端Ｔ２に沿ってこれらの他端Ｔ２と対向するように第一電極部５２１ａと電極部５２１ｂが配置されている。
この第一電極部５２１ａは、基板Ｗの配線Ｔの他端Ｔ２が基板Ｗの左側部（図５参照）に配置される配線Ｔの検出信号を受信することができ、第二電極部５２１ｂは、基板Ｗの配線Ｔの他端Ｔ２が基板Ｗの右側部に配置される配線Ｔの検出信号を受信することができるように配置される。
【００４０】
接続手段５の第一接続部５１と第二接続部５２が、検査対象の基板Ｗに応じて製造されると、基板検査装置１には、基板Ｗの検査を実施するための検査手順や判定閾値などの検査に関連する情報が、入力手段９を用いて入力されることになる。
【００４１】
接続手段５が、上記の如き検査対象の基板Ｗに応じて各部位が形成されると、基板検査装置１の載置台２に載置される。この場合、載置台２の上面２１から上方へ突出して配置されるガイドピンに、接続手段５の取付孔５４を嵌合させることにより、簡単に基準位置に合わせることができる。
【００４２】
接続手段５が載置されると、次に、検査対象となる基板Ｗが、接続手段５の所定位置にＬ字状の位置決め部材５６を利用して載置される。このとき、基板検査装置１は、吸引手段６を有しており、接続手段５の貫通孔５３を通気路として利用することで基板Ｗを吸着固定する。
【００４３】
接続手段５に基板Ｗが吸着固定されると、基板Ｗと接続手段５を安定的に接続するために、押圧手段７が、配線Ｔの一端Ｔ１と一端接続部５１２を圧接する。
このようにして、基板Ｗが接続手段５に載置されて、検査を実施する準備が完了する。
【００４４】
基板検査装置１が検査を実施する場合を説明する。図５で示される基板Ｗの配線ＴＡを検査する検査方法を説明する。
まず、配線ＴＡの導通検査を実施するための基板検査装置１の動作を説明する。この場合、図５で示される如く、検査対象となる配線ＴＡは、一端Ｔ１Ａ、他端Ｔ２Ａと配線部Ｔ３Ａを有する配線となる。
このため、導通検査を実施するための検査信号が電源手段３から供給される際には、電源接続部５１１と第一配線部５１３を介して、配線Ｔ１Ａと導通接続されることになる一端接続部５１２を経由して供給される。検査信号が供給されると、配線ＴＡの一端Ｔ１Ａから配線部Ｔ３Ａを経由して、他端Ｔ２Ａまで検査信号が伝達される。他端Ｔ２Ａまで検査信号が伝達されると、他端接続部５２１が非接触接続されているので、検査信号の影響を受けて、検出信号を検出することになる。そして、他端接続部５２１が検出信号を検出すると、第二配線部５２３と判定接続部５２２を経由して判定手段４に検出信号が送信されることになる。
【００４５】
判定手段４は、この検出信号を基に、予め設定される判定閾値と比較して、この配線ＴＡの導通状態が良好か不良であるか判定することになる。例えば、配線ＴＡの導通状態が良好であれば、所定出力の検出信号を他端接続部５２１（第一電極部５２１ａ）が検出することになり、一方、配線ＴＡの導通状態が不良（断線している）であれば、所定出力以下の検出信号を他端接続部５２１が検出することになる。
この判定手段４の判定結果は、出力手段８となる表示手段８１などに表示されることになる。
【００４６】
次に、配線ＴＡの短絡検査を実施するための基板検査装置１の動作を説明する。図５で示される配線ＴＡの短絡検査を実施する場合には、少なくとも配線ＴＡに隣接される配線ＴＢと配線ＴＣとの短絡状態が検査されることになる。このため、導通検査の場合と同様に、配線ＴＡの導通検査における検査信号を供給したように、配線ＴＡに電源手段３（好ましくは直流電源）による検査信号が供給される。
【００４７】
また、一方で、配線ＴＢの一端と配線ＴＣの一端は夫々一端接続部５１１に接続されており、各第一配線部５１３と電源接続部５１１を経由して判定手段４に接続されている。
このとき、判定手段４の電流計が直列接続されており、配線ＴＢと配線ＴＣからの検出信号の電流値を測定することができ、この電流値を基に判定手段４が配線ＴＡの短絡検査を実施することになる。
例えば、配線ＴＡが短絡無しの状態であれば、電流計が検出する検出信号は所定出力以下（配線ＴＡに供給される検査信号の影響を配線ＴＢと配線ＴＣは受けていない）ということになり、一方、配線ＴＡが短絡有りの状態であれば、配線ＴＡの検出信号は所定出力以上（配線ＴＢ及び／又は配線ＴＣと配線ＴＡが導通していることになり、いずれか一方又は両方に検査信号の影響あり）ということになる。尚、この所定出力の閾値は、予め設定されることになる。
【００４８】
上記の如き導通／短絡検査が全ての配線Ｔに対して実施されると、その基板Ｗが良品であるか不良品であるか判定されることになる。尚、この結果は、出力手段８により、表示されたり、印刷されたりすることになる。
【００４９】
また、他の検査対象となる基板Ｗを検査する場合にも、この検査対象の基板Ｗに応じた接続手段５を適宜製造することによって、本基板検査装置１を用いることにより簡単に且つ安価に検査を実施することができるようになる。特に、本基板検査装置１は、大掛かりな機構を有しておらず、簡単な機構で且つ簡便な構成であるため、作業者の作業負担を低減し、多種多様の基板を低コストで検査することを可能にする。
【符号の説明】
【００５０】
１・・・・・基板検査装置
２・・・・・載置台
３・・・・・電源手段
４・・・・・判定手段
５・・・・・接続手段
５１・・・・第一接続部
５１１・・・電源接続部
５１２・・・一端接続部
５１３・・・第一配線部
５２・・・・第二接続部
５２１・・・他端接続部
５２２・・・判定接続部
５２３・・・第二配線部
５３・・・・貫通孔
６・・・・・吸引手段
７・・・・・押圧手段
【図１】
0005463879.tif 000002
【図２】
0005463879.tif 000003
【図３】
0005463879.tif 000004
【図４】
0005463879.tif 000005
【図５】
0005463879.tif 000006